(57)【要約】      （修正有）【課題】ＰＤＰや液晶パネル等の固定画素デバイスを用いた映像表示装置においては、画面の明るさに応じ安定した高コントラストの映像が求められる。そこで安定した画面が得られる映像表示技術を提供する。【解決手段】映像信号処理として、基本的に、映像表示のための信号処理として、デジタル輝度信号の最大輝度レベル情報と平均輝度レベル情報とに基づくフィードバック系により輝度信号のゲインを制御した後、さらに、該平均輝度レベル情報に応じたガンマ補正を行う。【選択図】  図５
2004320632.tif 000002
【特許請求の範囲】
【請求項１】
デジタル映像信号に基づき表示を行う映像表示装置用の映像信号処理回路であって、
デジタル輝度信号の最大輝度レベル情報と平均輝度レベル情報とに基づくフィードバック系を形成し輝度信号のゲインを制御するゲイン制御手段と、
上記輝度信号のゲインを制御されたデジタル映像信号につき、上記平均輝度レベル情報に基づくガンマ補正を行う構成を有する補正手段と、
を備えた構成を特徴とする映像信号処理回路。
【請求項２】
上記ゲイン制御手段は、上記デジタル輝度信号の、所定期間内の最大輝度レベルが該当する輝度領域と平均輝度レベルが該当する輝度領域とを判定し、該判定した両輝度領域情報に基づくフィードバック制御により輝度信号のゲインを制御する構成である請求項１に記載の映像信号処理回路。
【請求項３】
上記補正手段は、平均輝度レベルが該当する輝度領域情報に対応して設定されるガンマカーブに基づいてガンマ補正を行う構成である請求項１に記載の映像信号処理回路。
【請求項４】
上記補正手段は、上記平均輝度レベル情報に基づき上記デジタル映像信号の赤色、緑色、青色の色補正を行う構成を備える請求項１に記載の映像信号処理回路。
【請求項５】
上記ゲイン制御手段は、Ａ／Ｄ変換したデジタル輝度信号の、所定期間内の最大輝度レベルが該当する第１の輝度領域と、平均輝度レベルが該当する第２の輝度領域とを判定し、該第１の輝度領域の情報と該第２の輝度領域の情報とに基づくフィードバック制御により、Ａ／Ｄ変換前のアナログ輝度信号またはＡ／Ｄ変換後のデジタル輝度信号のいずれか一方または両方のゲインを制御する構成である請求項１に記載の映像信号処理回路。
【請求項６】
上記補正手段は、デジタル色信号とデジタル輝度信号とから形成されたデジタル映像信号につきガンマ補正を行う構成である請求項１に記載の映像信号処理回路。
【請求項７】
上記補正手段は、上記平均輝度レベル情報に基づき、上記デジタル色信号の色補正を行うカラーコントロール手段を備える請求項６に記載の映像信号処理回路。
【請求項８】
上記補正手段においてガンマ補正されたデジタル輝度信号と上記デジタル色信号とを、赤色、緑色、青色に対応したデジタル映像信号に変換して出力する出力手段を備える請求項６に記載の映像信号処理回路。
【請求項９】
デジタル映像信号に基づき表示を行う映像表示装置であって、
デジタル輝度信号の最大輝度レベル情報と平均輝度レベル情報とに基づきフィードバック系を形成して輝度信号のゲインを制御するとともに、該輝度信号のゲインを制御されたデジタル映像信号につき上記平均輝度レベル情報に基づくガンマ補正を行う信号処理回路と、
上記ガンマ補正されたデジタル映像信号に基づき映像表示を行う表示部と、
を備えた構成を特徴とする映像表示装置。
【請求項１０】
上記信号処理回路は、上記デジタル輝度信号の、所定期間内の最大輝度レベルが該当する輝度領域と平均輝度レベルが該当する輝度領域とを判定し、該判定した両輝度領域情報に基づくフィードバック制御により輝度信号のゲインを制御する構成である請求項９に記載の映像表示装置。
【請求項１１】
上記信号処理回路は、上記平均輝度レベルが該当する輝度領域情報に対応して設定されるガンマカーブに基づきガンマ補正を行う構成である請求項９に記載の映像表示装置。
【請求項１２】
上記信号処理回路は、上記平均輝度レベル情報に基づき上記デジタル映像信号の赤色、緑色、青色につき色補正を行う構成を備える請求項９に記載の映像表示装置。
【請求項１３】
上記信号処理回路は、Ａ／Ｄ変換したデジタル輝度信号の、所定期間内の最大輝度レベルが該当する第１の輝度領域と、平均輝度レベルが該当する第２の輝度領域とを判定し、該第１の輝度領域の情報と該第２の輝度領域の情報とに基づくフィードバック制御により、Ａ／Ｄ変換前のアナログ輝度信号またはＡ／Ｄ変換後のデジタル輝度信号のいずれか一方または両方のゲインを制御する構成である請求項９に記載の映像表示装置。
【請求項１４】
上記信号処理回路は、デジタル色信号とデジタル輝度信号とから形成されたデジタル映像信号につき上記ガンマ補正を行う構成である請求項９に記載の映像表示装置。
【請求項１５】
上記信号処理回路は、上記平均輝度レベル情報に基づきデジタル色信号の色補正を行うカラーコントロール手段を備える請求項１４に記載の映像表示装置。
【請求項１６】
デジタル映像信号に基づき表示を行う映像表示方法であって、
デジタル輝度信号の、所定表示期間内の最大輝度レベルと平均輝度レベルとを検出する第１のステップと、
上記検出した最大輝度レベル、平均輝度レベルの情報に基づくフィードバック系により、入力された映像信号のゲインを制御する第２のステップと、
上記輝度信号ゲインを制御された後のデジタル映像信号につき該平均輝度レベルに対応したガンマ補正を行う第３のステップと、
上記ガンマ補正したデジタル映像信号に基づき映像表示を行う第４のステップと、
を経て、表示を行うことを特徴とする映像表示方法。
【請求項１７】
上記第３のステップでは、デジタル輝度信号または赤色、緑色、青色の各デジタル映像信号につきガンマ補正を行う請求項１６に記載の映像表示方法。
【発明の詳細な説明】
【０００１】
【発明の属する技術分野】
本発明は、テレビジョン信号やパーソナルコンピュータ等から入力される映像信号に基づき映像を表示する技術に関する。
【０００２】
【従来の技術】
本発明に関連した従来技術としては、特開平８−３１７２５０号公報（特許文献１）に記載されたものがある。該公報には、入力映像信号からＡＰＬとヒストグラムとを算出して解析し、該解析データに基づき、該映像信号の最小レベルと最大レベルの範囲を拡大してＡＰＬ付近に対応する入出力特性のガンマ値を大きくし、表示画のコントラスト比を増大させるとする技術が記載されている。
【０００３】
【特許文献１】
特開平８−３１７２５０号公報
【０００４】
【発明が解決しようとする課題】
ＰＤＰや液晶パネル等の固定画素デバイスを用いた映像表示装置においては、画面の明るさに対応したより一層の高コントラスト化が望まれるが、上記従来技術では、映像信号のゲイン制御を輝度レベルに対応させていないことなどにより、この点での難がある。また、ヒストグラムの算出及び解析処理も必要であり、構成及び信号処理が複雑化するおそれもある。
本発明の課題点は、かかる従来技術の状況に鑑み、映像表示装置における映像信号処理技術として、画面の明るさに応じ安定した高コントラストの映像が得られるようにすることである。
本発明の目的は、上記課題点を解決できる技術を提供することにある。
【０００５】
【課題を解決するための手段】
上記課題点を解決するために、本発明では、基本的に、映像表示のための信号処理として、デジタル輝度信号の最大輝度レベル情報と平均輝度レベル情報とに基づくフィードバック系により輝度信号のゲインを制御した後、さらに、該平均輝度レベル情報に応じたガンマ補正を行う。
具体的には、上記技術に基づく映像信号処理回路、映像表示装置または映像表示方法とする。
【０００６】
【発明の実施の形態】
以下、本発明の実施例につき、図面を用いて説明する。
図１〜図５は本発明の第１の実施例の説明図である。本第１の実施例は、Ａ／Ｄ変換後のデジタル輝度信号の最大輝度レベルと平均輝度レベルの輝度領域情報に基づき、Ａ／Ｄ変換前のアナログ輝度信号につきゲイン制御を行うとともに、カラーマトリックス回路の後段側においてデジタル輝度信号のガンマ補正を行う場合の例である。
図１において、１は映像信号処理回路、２は、映像信号処理回路１の出力信号により映像をカラー表示する表示部、３は、入力されたアナログ輝度信号を増幅するビデオアンプ、４は、デジタル信号の形成と輝度レベルの検出とガンマ補正とを行うデジタル信号形成処理回路、５はアナログ信号をデジタル信号に変換するＡ／Ｄ変換器、６は、所定期間内におけるデジタル輝度信号の最大輝度レベルと平均輝度レベルとを検出する信号レベル検出回路、８はデジタル映像信号につきガンマ補正を行うガンマ補正回路、７は、該検出した最大輝度レベルと平均輝度レベルのそれぞれにつき該当する輝度領域を判定し、判定結果に対応した制御信号を形成して出力し、ビデオアンプ３におけるゲイン制御を行うとともに、ガンマ補正回路８におけるデジタル映像信号の入出力特性をガンマカーブに従って制御するマイコンである。入力されたアナログ輝度信号は、ビデオアンプ３で増幅された後、Ａ／Ｄ変換器５でデジタル輝度信号に変換されて信号レベル検出回路６に入力される。該信号レベル検出回路６においては、デジタル輝度信号の、例えば１フィールドまたは１フレームの映像期間内における最大輝度レベルと平均輝度レベルとが検出される。該検出された最大輝度レベルと平均輝度レベルの情報（信号）はそれぞれ、マイコン７に入力される。該マイコン７内では、入力された該最大輝度レベルと平均輝度レベルの情報に基づき、該最大輝度レベルが該当する第１の輝度領域と、該平均輝度レベルが該当する第２の輝度領域とがそれぞれ判定され、該判定結果に基づく制御信号が形成されて出力される。該制御信号はビデオアンプ３とガンマ補正回路８に入力される。ビデオアンプ３においては、フィードバックされる該制御信号によりアナログ輝度信号の増幅ゲインが制御される。アナログ輝度信号の増幅ゲインが制御されることでＡ／Ｄ変換後のデジタル輝度信号のゲインも変化する。また、ガンマ補正回路８においては、上記制御信号により、上記ゲイン制御されたデジタル映像信号の出入力特性が制御される。この結果、明るさに応じてコントラスト調整された映像が表示部２に表示される。
【０００７】
図２は、図１の映像表示装置における輝度信号のゲイン制御動作とガンマ補正（入出力特性補正）動作の説明図である。以下、本図２の説明では、上記図１における構成要素の符号を用いる。
上記マイコン７からの制御信号により、上記ビデオアンプ３では、例えば入出力特性Ａを有する入力信号のアナログ輝度信号（第１の実施例の場合はアナログ輝度信号）がゲイン制御され、例えば入出力特性Ｂのアナログ輝度信号として出力される。該入出力特性Ｂのアナログ輝度信号は、さらに、Ａ／Ｄ変換され、色信号と合わされてデジタル映像信号とされる。該デジタル映像信号は、上記ガンマ補正回路８で輝度信号の入出力特性を補正され、例えば入出力特性Ｃのデジタル映像信号として出力される。上記ビデオアンプ３に入力される上記制御信号は、輝度信号の最大輝度レベルが該当する第１の輝度領域の情報と、平均輝度レベルが該当する第２の輝度領域の情報との両情報、または該第２の輝度領域の情報に基づき形成される。また、上記ガンマ補正回路８に入力される上記制御信号は、輝度信号の平均輝度レベルが該当する第２の輝度領域の情報に基づき形成される。ここでは、ゲイン制御及びガンマ補正に用いられる第２の輝度領域については同じ輝度領域の基準を用いているが、ガンマ補正に用いられる輝度領域については、ゲイン制御に用いられる輝度領域の基準と異なる領域情報とすることも可能である。
【０００８】
図３は、ガンマ補正用のガンマカーブと平均輝度レベル（ＡＰＬ）との関係の説明図である。図３（ａ）はガンマカーブを示し、同（ｂ）は、平均輝度レベル（ＡＰＬ）に対するガンマカーブの切替え点を示す。
図３（ａ）において、「ガンマ１」は、入出力特性のレベル（入力に対する出力のレベル）が特定領域で増大または減少しない直線的なガンマカーブ、「ガンマ０」は、いずれの領域においても入出力特性のレベルが「ガンマ１」より高く、特に低輝度領域において該入出力特性のレベルが増大するガンマカーブ、「ガンマ２」は、いずれの領域においても入出力特性のレベルが「ガンマ１」より低く、高輝度領域において入出力特性のレベルが増大するガンマカーブである。「ガンマ０」、「ガンマ１」、「ガンマ２」は、３つの平均輝度レベルＡＰＬ０、ＡＰＬ１、ＡＰＬ２に応じて切替えられる。
【０００９】
図３（ｂ）において、ＡＰＬ０〜ＡＰＬ５はそれぞれ平均輝度レベルであり、それぞれにおいて、予め設定されているガンマカーブに自動的に切替えられる。平均輝度レベル（ＡＰＬ）がＡＰＬ０以下のときは、ガンマカーブは「ガンマ１」が選択され、平均輝度レベルがＡＰＬ１〜ＡＰＬ２の範囲では「ガンマ０」が選択され、ＡＰＬ３〜ＡＰＬ４の範囲では「ガンマ１」が選択され、ＡＰＬ５以上では「ガンマ２」が選択される。ＡＰＬ０とＡＰＬ１との間では、「ガンマ１」と「ガンマ０」との間の特性のガンマカーブが、マイコン７（図１）での演算により求められ、ＡＰＬ２とＡＰＬ３との間では、「ガンマ０」と「ガンマ１」との間の特性のガンマカーブが同じく演算により求められ、また、ＡＰＬ４とＡＰＬ５との間では、「ガンマ１」と「ガンマ２」との間の特性のガンマカーブが演算により求められる。なお、平均輝度レベル（ＡＰＬ）に対応したガンマカーブの選択、演算は、上記のような選択、演算には限定されず、例えば、表示部の特性等に応じ、図中の点線で示したように、平均輝度レベルがＡＰＬ１以下の場合も「ガンマ０」が選択されるようにしてもよい。
【００１０】
図４は、平均輝度レベル（ＡＰＬ）に対応し演算されるガンマカーブの説明図である。
図４において、例えば平均輝度レベル（ＡＰＬ）が、上記図３のＡＰＬ２〜ＡＰＬ３間でａ：ｂのレベル位置にあるような場合、ガンマカーブも、「ガンマ０」と「ガンマ１」との間でａ：ｂの出力振幅レベル位置となるものが演算によって求められる。これによって、ＡＰＬ２〜ＡＰＬ３間では平均輝度レベル（ＡＰＬ）に比例したガンマ補正が行われる。上記図３のＡＰＬ４〜ＡＰＬ５間及びＡＰＬ０〜ＡＰＬ１間においても同様である。
【００１１】
図５は、第１の実施例としての映像表示装置のブロック図である。
図５において、１は映像信号処理回路、２は、映像表示を行うＰＤＰや液晶パネル等を用いて成る表示部、１１は入力されたアナログ輝度信号Ｙａを増幅するビデオアンプ、１２は、該増幅されたアナログ輝度信号Ｙａをデジタル輝度信号Ｙｄに変換するＡ／Ｄ変換器、１３は、入力信号を表示装置が表示可能な信号タイミングに変換するスキャンコンバータ、１４は、入力されたアナログ色（色差）信号Ｃｂ、Ｃｒをデジタル色（色差）信号Ｃｂｄ、Ｃｒｄに変換するＡ／Ｄ変換器、１５１、１５２は、上記Ａ／Ｄ変換で得られた上記デジタル輝度信号Ｙｄのノイズ除去を行うローパスフィルタであるノイズ除去用ＬＰＦ、１６は、ノイズ除去用ＬＰＦ１５１の出力信号（デジタル輝度信号）の所定期間、例えば１フレームまたは１フィールドにおける平均輝度レベル（ＡＰＬ）を検出する平均輝度検出回路、１７は、ノイズ除去用ＬＰＦ１５２の出力信号（デジタル輝度信号）の所定期間、例えば１フレームまたは１フィールドにおける最大輝度レベルを検出する最大輝度検出回路、１８は、平均輝度検出回路１６で検出された平均輝度レベルの情報（信号）が入力され、該平均輝度レベルが該当する輝度領域を判定する平均輝度判定部、１９は、最大輝度検出回路１７で検出された最大輝度レベルの情報（信号）が入力され、該最大輝度レベルが該当する輝度領域を判定する最大輝度判定部、３０はガンマ補正回路、２０は、上記平均輝度レベルが該当する輝度領域と上記最大輝度レベルが該当する輝度領域との情報に基づき、ビデオアンプ１１における増幅ゲイン及びガンマ補正回路３０におけるガンマカーブを制御する制御信号を形成するためのゲイン制御部、３２は、デジタル輝度信号Ｙｄとデジタル色（色差）信号Ｃｂｄ、Ｃｒｄを、赤（Ｒ）、緑（Ｇ）、青（Ｂ）のデジタル映像信号Ｒｄ、Ｇｄ、Ｂｄに変換するカラーマトリックス回路、Ｔ１はアナログ輝度信号Ｙａの入力端子、Ｔ２、Ｔ３はアナログ色（色差）信号Ｃｂ、Ｃｒの入力端子である。上記のうち、平均輝度判定部１８、最大輝度判定部１９及びゲイン制御部２０は、例えばマイコンで構成され、Ａ／Ｄ変換器１２、１４、スキャンコンバータ１３、ノイズ除去用ＬＰＦ１５１、１５２、平均輝度検出回路１６、最大輝度検出回路１７、ガンマ補正回路３０、及びカラーマトリックス回路３２は、例えばＬＳＩ（大規模集積回路）で構成される。
【００１２】
上記図５の構成において、入力端子Ｔ１からのアナログ輝度信号Ｙａは、ビデオアンプ１１で増幅された後、Ａ／Ｄ変換器１２でデジタル輝度信号Ｙｄに変換される。該デジタル輝度信号Ｙｄは、スキャンコンバータ１３に入力されるとともに、ノイズ除去用ＬＰＦ１５１、１５２に入力される。ノイズ除去用ＬＰＦ１５１、１５２においてノイズを除去された後、平均輝度検出回路１６と、最大輝度検出回路１７とに入力され、平均輝度検出回路１６では所定期間内における平均輝度レベルが検出され、最大輝度検出回路１７では最大輝度レベルが検出される。該検出された平均輝度レベルと最大輝度レベルの情報はそれぞれ、平均輝度判定部１８、最大輝度判定部１９に入力され、平均輝度判定部１８では、上記検出された平均輝度レベルがどの輝度領域に該当するかが判定され、最大輝度判定部１９では、上記検出された最大輝度レベルがどの輝度領域に該当するかが判定される。該判定された上記平均輝度レベルが該当する輝度領域の情報と、上記最大輝度レベルが該当する輝度領域の情報とは、ゲイン制御部２０に入力される。また、平均輝度判定部１８から輝度領域判定に用いた平均輝度レベルも合わせて入力される。ゲイン制御部２０では、これらの輝度領域情報及び平均輝度レベル情報に基づき、第１及び第２の制御信号が形成される。第１の制御信号は、ビデオアンプ１１にフィードバックされ、該ビデオアンプ１１のゲインを制御するための信号であって、例えば、上記検出された平均輝度レベルが該当する輝度領域と、上記検出された最大輝度レベルが該当する輝度領域との組み合わせの情報に基づき形成される。第２の制御信号は、ガンマ補正回路３０に入力され、ガンマ補正処理を行わせるための信号であって、上記検出された平均輝度レベルに基づき形成される。一方、入力端子Ｔ２、Ｔ３から入力された各アナログ色（色差）信号Ｃｂ、Ｃｒも、Ａ／Ｄ変換器１４でデジタル（色差）信号Ｃｂｄ、Ｃｒｄに変換された後、デジタル輝度信号Ｙｄと同様、スキャンコンバータ１３に入力され、画素変換される。スキャンコンバータ１３から出力されたデジタル輝度信号Ｙｄは、カラーマトリックス回路３２に入力される。該カラーマトリックス回路３２には、上記スキャンコンバータ１３から出力されるデジタル（色差）信号Ｃｂｄ、Ｃｒｄも入力される。カラーマトリックス回路３２では、デジタル輝度信号Ｙｄとデジタル色（色差）信号Ｃｂｄ、Ｃｒｄが、赤（Ｒ）、緑（Ｇ）、青（Ｂ）のデジタル映像信号Ｒｄ、Ｇｄ、Ｂｄに変換されて出力される。出力されたデジタル映像信号Ｒｄ、Ｇｄ、Ｂｄは、表示部２に入力され、該表示部２で映像として表示される。
【００１３】
上記第１の実施例によれば、映像表示装置において、ガンマ補正の前段で映像信号のゲイン制御を行う構成のため、ガンマ補正回路３０への入力映像信号の振幅を略一定の値にすることができ、この結果、ガンマ補正を精度良く行える。また、入力映像信号の最大輝度（最大振幅）レベル情報を検出してゲイン制御を行い、これに連続させて平均輝度レベル（ＡＰＬ）情報に基づくガンマ補正を行う構成のため、映像信号の最大振幅をダイナミックレンジとほぼ一致させた状態でガンマ補正を行うことができ、広範のレベルのコントラスト調整が可能となる。さらに、該ガンマ補正では、平均輝度レベルに対応してガンマカーブを切替えたり演算したりするため、画面の明るさに応じ安定した高コントラストの映像を得ることができる。
【００１４】
図６、図７は、本発明の第２の実施例の説明図である。図６は、本発明の第２の実施例としての映像表示装置のブロック図、図７は、図６の映像表示装置における色の濃さ補正（色補正＝カラーコントロール）の説明図である。
本第２の実施例では、スキャンコンバータの後段側にあってカラーマトリックス回路の前段側に、ガンマ補正回路と、色補正用のカラーコントロール回路とを設け、ガンマ補正と併せ、映像信号のゲイン増大に対応して映像の色の濃さを増大させる補正（色補正）を行う。他の部分の構成及び作用は上記第１の実施例の場合とほぼ同様である。
【００１５】
図６において、３１は、デジタル映像信号の色の濃さを補正するカラーコントロール回路である。その他、図５（第１の実施例）と同じ構成要素には、該図５と同じ符号を付し、かつ同じ作用の要素については説明を省く。ゲイン制御部２０は、平均輝度判定部１８からの平均輝度レベルが該当する輝度領域の情報と、最大輝度判定部１９からの最大輝度レベルが該当する輝度領域の情報とがフィードバックされ、これに基づき、ビデオアンプ１１における増幅ゲイン、ガンマ補正回路３０におけるガンマカーブ、及び、カラーコントロール回路３１におけるカラーコントロールゲインを制御する制御信号を形成する。図６の構成要素のうち、平均輝度判定部１８、最大輝度判定部１９及びゲイン制御部２０は、例えばマイコンで構成され、Ａ／Ｄ変換器１２、１４、スキャンコンバータ１３、ノイズ除去用ＬＰＦ１５１、１５２、平均輝度検出回路１６、最大輝度検出回路１７、ガンマ補正回路３０、カラーコントロール回路３１及びカラーマトリックス回路３２は、例えばＬＳＩ（大規模集積回路）で構成される。
【００１６】
上記図６の構成においても、上記図５の場合と同様、Ａ／Ｄ変換されたデジタル輝度信号Ｙｄから、所定期間内における平均輝度レベルと最大輝度レベルが検出され、該検出された平均輝度レベルと最大輝度レベルの情報のそれぞれに該当する輝度領域の情報が形成され、フィードバックされて、ゲイン制御部２０に入力される。該ゲイン制御部２０では、これらの輝度領域情報及び平均輝度レベルに基づき、第１、第２及び第３の制御信号が形成される。第１の制御信号は、ビデオアンプ１１のゲインを制御してコントラストを調整するための信号であって、例えば、上記検出された平均輝度レベルが該当する輝度領域と、上記検出された最大輝度レベルが該当する輝度領域との組み合わせの情報に基づき形成される制御信号である。第２の制御信号は、ガンマ補正回路３０に入力され、ガンマ補正処理を行わせる信号であって、上記検出された平均輝度レベルに基き形成される制御信号である。第３の制御信号は、カラーコントロール回路３１に入力され、デジタル色（色差）信号の色補正を行うための信号である。スキャンコンバータ１３から出力されたデジタル輝度信号Ｙｄは、ガンマ補正回路３０に入力され、該ガンマ補正回路３０において上記第２の制御信号によって制御されガンマ補正される。該ガンマ補正されたデジタル輝度信号Ｙｄはさらにカラーマトリックス回路３２に入力される。上記スキャンコンバータ１３から出力されるデジタル（色差）信号Ｃｂｄ、Ｃｒｄは、カラーコントロール回路３１に入力され、該カラーコントロール回路３１において上記第３の制御信号によって制御され、色補正される。該色補正されたデジタル（色差）信号Ｃｂｄ、Ｃｒｄは、カラーマトリックス回路３２に入力される。カラーマトリックス回路３２では、デジタル輝度信号Ｙｄとデジタル色（色差）信号Ｃｂｄ、Ｃｒｄが、赤（Ｒ）、緑（Ｇ）、青（Ｂ）のデジタル映像信号Ｒｄ、Ｇｄ、Ｂｄに変換されて出力される。該出力されたデジタル映像信号Ｒｄ、Ｇｄ、Ｂｄは、表示部２に入力され、該表示部２で映像として表示される。上記第２の制御信号による上記ガンマ補正回路３０におけるデジタル輝度信号Ｙｄのガンマ補正と、上記第３の制御信号による上記カラーコントロール回路３１におけるデジタル色（色差）信号Ｃｂｄ、Ｃｒｄの色補正とは互いに連動して行われる。
【００１７】
図７は、上記カラーコントロール回路３１（図６）における色補正（カラーコントロール）の説明図である。以下、図７の説明中、構成要素の符号は上記図６における符号を用いる。
図７において、カラーコントロール回路３１におけるデジタル色（色差）信号Ｃｂｄ、Ｃｒｄのカラーコントロールゲインは、ガンマ補正回路３０におけるガンマカーブの変化に連動して制御され、例えば、ガンマカーブが「ガンマ１」の場合は、カラーコントロールゲインは０ｄＢ、ガンマカーブが「ガンマ２」の場合は、カラーコントロールゲインは１ｄＢ、ガンマカーブが「ガンマ０」の場合は、カラーコントロールゲインは２ｄＢとなるように制御される。すなわち、平均輝度レベルが低いときには、ガンマカーブを「ガンマ０」にして低輝度領域における輝度差を大きくしてコントラストを上げるとともに、色の濃さも増すようにし、反対に、平均輝度レベルが高いときには、ガンマカーブを「ガンマ２」にして高輝度領域における輝度差を大きくしコントラストを上げるとともに、色の濃さを上記「ガンマ０」の場合よりも減るように制御する。なお、ガンマカーブが、演算により、上記「ガンマ０」、「ガンマ１」、「ガンマ２」の間の特性として設定される場合は、カラーコントロールゲインもそれに対応した値とされる。
【００１８】
上記第２の実施例によっても、映像表示装置において、ガンマ補正回路３０への入力映像信号の振幅を略一定の値にすることが可能なため、ガンマ補正を精度良く行うことができる。また、カラーコントロール回路３１の制御により、色の濃さも確保した映像を表示することができる。また、映像信号の最大振幅をダイナミックレンジとほぼ一致させた状態でガンマ補正を行うことができるため、広範レベルのコントラスト調整が可能となる。さらに、ガンマ補正により、画面の明るさに応じ安定した高コントラストの映像を得ることができる。
【００１９】
なお、上記各実施例では、輝度信号のゲイン制御については、Ａ／Ｄ変換前のアナログ輝度信号につきゲイン制御を行う構成としたが、本発明はこれに限定されず、該ゲイン制御を、Ａ／Ｄ変換後のデジタル輝度信号について行ってもよいし、Ａ／Ｄ変換前のアナログ輝度信号とＡ／Ｄ変換後のデジタル輝度信号との両方につき行う構成としてもよい。また、色補正についても、上記各実施例では、Ａ／Ｄ変換後のデジタル色（色差）信号のゲインを制御することで色補正するとしたが、本発明はこれにも限定されず、Ａ／Ｄ変換前のアナログ色（色差）信号につきゲイン制御することで色補正してもよいし、Ａ／Ｄ変換前のアナログ色（色差）信号とＡ／Ｄ変換後のデジタル色（色差）信号との両方につきゲイン制御することで色補正してもよい。また、ノイズ除去用ＬＰＦ等のノイズ除去手段を設けない構成であってもよい。さらに、最大輝度レベル、平均輝度レベルの検出に用いるデジタル輝度信号は、Ａ／Ｄ変換された直後のものに限定されない。また、入力される信号がデジタル映像信号である場合には、上記各実施例に記載したＡ／Ｄ変換器は不要である。
【００２０】
【発明の効果】
本発明によれば、画面の明るさに応じ安定した高コントラストの映像を得ることができる。
【図面の簡単な説明】
【図１】本発明の第１の実施例としての映像表示装置の基本構成図である。
【図２】本発明における輝度信号のゲイン制御とガンマ補正の説明図である。
【図３】本発明におけるガンマカーブと平均輝度レベルの関係の説明図である。
【図４】本発明において演算されるガンマカーブの説明図である。
【図５】本発明の第１の実施例としての映像表示装置のブロック構成図である。
【図６】本発明の第２の実施例としての映像表示装置のブロック構成図である。
【図７】図６の装置における色補正の説明図である。
【符号の説明】
１…映像信号処理回路、  ２…表示部、  ３、１１…ビデオアンプ、  ５、１２、１４…Ａ／Ｄ変換器、  ６…信号レベル検出回路、  ７…マイコン、  ８、３０…ガンマ補正回路、  １３…スキャンコンバータ、  １６…平均輝度検出回路、  １７…最大輝度検出回路、  １８…平均輝度判定部、  １９…最大輝度判定部、  ２０…ゲイン制御部、  ３１…カラーコントロール回路、  ３２…カラーマトリックス回路、  １５１、１５２…ノイズ除去用ＬＰＦ。
【図１】
2004320632.tif 000003
【図２】
2004320632.tif 000004
【図３】
2004320632.tif 000005
【図４】
2004320632.tif 000006
【図５】
2004320632.tif 000007
【図６】
2004320632.tif 000008
【図７】
2004320632.tif 000009